(57)【特許請求の範囲】
【請求項１】
人が仰向けに寝たとき、該人の側部に沿わせて配置して使用する補助枕であって、
弾力性を備える材質で形成され短手方向断面が略円形形状を成し、前記人の下半身部から脇下の側部に沿わせて配置する部位を含む棒状部と、
一端が前記棒状部端部と着脱自在に接続され、他端は当該補助枕の端部を成し、形状変更自在な態様の布材で形成され、伸縮自在な環状部材を用いて束ねる位置に応じ前記布材の形状を固定可能な布状部と、を有し、
前記人の脇下から肩前部を介して前記人の首後ろ部に通し、
当該枕とは異なる別の枕と共に使用し、前記布状部が、前記別の枕と前記人の首後ろ部との間にできる隙間を埋めるような態様で使用されることを特徴とする補助枕。
【請求項２】
前記棒状部が、前記人の脇下から肩前部の盛り上がった形状に沿い曲がった形状となる部位を含むことを特徴とする請求項１に記載の補助枕。
【請求項３】
前記布状部が、前記環状部材を用いて束ねる位置に応じ、広さ及び厚みを自在に変更可能であることを特徴とする請求項１又は２に記載の補助枕。
【請求項４】
前記布状部が、前記棒状部との接続部位を要とする扇形形状であることを特徴とする請求項１乃至３の何れか一に記載の補助枕。
【発明の詳細な説明】
【技術分野】
【０００１】
人が寝る取るときに使用する枕の技術に関する。
【背景技術】
【０００２】
枕の良し悪しは、人が心地よい睡眠を取るための重要な要素の一つである。
【０００３】
そのような背景もあり、枕に関しては盛んに研究開発が行われている。例えば、特許文献１では、側臥位や仰臥位、座位等の姿勢保持を安定して行うことができ、また、使用者の体型や体位変換に合わせて形態を変更して使用することができ、しかも、コストも安価な姿勢保持クッションが提案されている。また、特許文献２では、頭以外の身体部分の下に敷いて使用する場合にズレたり、脱落したりしにくく、様々な用途に使用することのできる枕が提案されている。
【先行技術文献】
【特許文献】
【０００４】
【特許文献１】実登第３１６４６３９号公報
【特許文献２】特開２０００−５１０３４号公報
【発明の概要】
【発明が解決しようとする課題】
【０００５】
しかしながら、上記の従来技術においては、枕と首との間に隙間ができることによって枕の位置が微妙に合わず安眠を害する事態を改善させることができないという問題点を有する。
また、上記の従来技術においては、適切な睡眠姿勢が取れた場合でも、その姿勢を継続的に維持させることができないという問題点を有する。
【０００６】
そこで本発明では、上記問題点に鑑み、枕と首との間に形成される隙間を埋めて適切な睡眠姿勢を取ることができ、当該姿勢を安定的に継続させる補助枕を提供することを目的とする。
【課題を解決するための手段】
【０００７】
開示する補助枕の一形態は、人が仰向けに寝たとき、該人の側部に沿わせて配置して使用する補助枕であって、弾力性を備える材質で形成され短手方向断面が略円形形状を成し、前記人の下半身部から脇下の側部に沿わせて配置する部位を含む棒状部と、一端が前記棒状部端部と着脱自在に接続され、他端は当該補助枕の端部を成し、形状変更自在な態様の布材で形成され、伸縮自在な環状部材を用いて束ねる位置に応じ前記布材の形状を固定可能な布状部と、を有し、前記人の脇下から肩前部を介して前記人の首後ろ部に通し、当該枕とは異なる別の枕と共に使用し、前記布状部が、前記別の枕と前記人の首後ろ部との間にできる隙間を埋めるような態様で使用されることを特徴とする。
【発明の効果】
【０００８】
開示する補助枕は、枕と首との間に形成される隙間を埋めて適切な睡眠姿勢を取ることができ、当該姿勢を安定的に継続させることができる。
【図面の簡単な説明】
【０００９】
【図１】本実施の形態に係る補助枕の使用態様を説明する図である。
【図２】本実施の形態に係る補助枕の構造を説明する斜視図（その１）である。
【図３】本実施の形態に係る補助枕の構造を説明する斜視図（その２）である。
【図４】本実施の形態に係る補助枕の構造を説明する斜視図（その３）である。
【図５】本実施の形態に係る補助枕の構造を説明する斜視図（その４）である。
【発明を実施するための形態】
【００１０】
図面を参照しながら、本発明を実施するための形態について説明する。
（本実施の形態に係る補助枕の構造）
【００１１】
図１乃至５を用いて、本実施の形態に係る補助枕１の構造について説明する。図１は、補助枕１の使用態様を示す図であり、図２乃至５は、補助枕１の斜視図である。
【００１２】
図１で示すように、補助枕１は、他の枕２２と共に使用する補助的な枕である。補助枕１は、使用者１６の体の側部１８に沿わせて配置し、脇下から肩前部にかけては使用者１６の体の上側を通り、使用者１６の首後ろ部２０へ潜り込ませる態様で使用する。
【００１３】
補助枕１は、枕２２と使用者１６が寝ている面（敷布団等）と首後ろ部２０との間にできる隙間２４を埋めることによって、使用者１６が快適な睡眠姿勢を取れるように補助する。また補助枕１は、使用者１６の体の側部１８に沿って配置されることによって、使用者１６の無用な寝返りを防止し、使用者１６の睡眠時の姿勢を安定的に継続させることができる。補助枕１の長さは、使用者１６の身長程度の長さである。
図２乃至５で示すように、補助枕１は、棒状部２、布状部８、環状部材１４を有する。
【００１４】
棒状部２は、スポンジのような弾力性を備える材質であり、短手方向の断面が略円形形状を成している。つまり棒状部２は、略円柱形状を成しているか又は略円柱形状を成す複数の部材を連結して構成される。なお、棒状部２は、そば殻やビーズのようなものを中に入れて、弾力性を備えるようにしても良い。
【００１５】
図４及び５で示すように、棒状部２が略円柱形状を成す複数の部材を連結して構成される場合、当該略円柱形状を成す部材どうしは、着脱可能に接続され、着脱機構はボタン式、紐式又はファスナー（面ファスナーを含む）式等、着脱自在な構成であれば特に限定されない。また上記略円柱形状の各部材は、直径、長さ、材質等が同一であっても良く、それぞれ異なっていても良い。これにより補助枕１は、使用者１６の身長に応じた長さの調節（調整）が可能となったり、汚れた場合に個別に洗濯・取り換え等が可能となったり、分離・折り畳みにより持ち運びが便利になったりと様々なメリットを備える。
【００１６】
棒状部２は、仰向けに寝ている使用者１６の下半身部（足）から脇下まで、使用者１６の体の側部１８に沿わせて配置する。棒状部２の太さは、直径１０〜２０センチメートル程度であることが好適であり、使用者１６の体格に合わせ適宜変更が可能である。こうすることによって、使用者１８の無用な寝返りがある程度規制され、安定した睡眠姿勢を継続させることができる。
【００１７】
図１乃至５で示すように、棒状部２は、使用者１６の脇下から肩前部の盛り上がった形状に合わせ曲がった形状を成す形態としても良い。こうすることによって、使用者１６の体の線に補助枕１をフィットさせ、使用者１６の使用感を向上させることができる。
【００１８】
図２乃至５で示すように、布状部８は、一端１０が棒状部２端部と接続され、他端１２は補助枕１の端部を成す。布状部８は、隙間２４を埋めるような態様で使用される。布状部８は、形状変更が自在な布材で形成され、伸縮可能な環状部材１４で当該布材を束ねることによって、形状を固定させることができる。なお、環状部材１４は、例えば、環状のゴム等である。
【００１９】
図２で示すように、布状部８は、棒状部２との接続部位を要とする扇形形状を成し、環状部材１４で布材を束ねる位置によって、厚み、広さ、形状等を自由に変形させ、固定させることができる。
【００２０】
布状部８は、環状部材１４の固定位置を適切に変更して、使用者１６の脇下から肩前部の盛り上がった形状に沿い曲がった形状に固定される形態としても良い。こうすることによって、使用者１６の体の線にフィットさせ、使用者１６の使用感を向上させることができる。なお、補助枕１において、使用者１６の脇下から肩前部の盛り上がった形状に沿い曲がった形状は、棒状部２、布状部８の何れか一方で形成される。
【００２１】
布状部８は、環状部材１４で束ねた位置よりも先の部位を使用者１６の後頭部に敷いたり、使用者１６の肩に掛けたりして使用することができ、その用途は限定されない。
【００２２】
布状部８は、使用者１６の首後ろ部２０や後頭部に触れる機会が多いため、汚れることが想定される。そのため布状部８は、棒状部２と着脱可能に接続され、棒状部２から取り外して洗濯、取り換え等をすることができる態様である。棒状部２と布状部８の着脱機構は、ボタン式やファスナー式等、着脱自在な構成であれば特に限定されない。
（本実施の形態に係る補助枕の使用方法）
【００２３】
図１乃至５を用いて、本実施の形態に係る補助枕１の使用方法について説明する。図１で示すように、補助枕１は、別の枕２２と共に使用する。使用者１６は、枕２２に頭を置き、仰向けに寝る。
【００２４】
図１で示すように、使用者１６は、自身の体の側部１８に棒状部２を沿わせて配置すると共に、脇下から肩前部の盛り上がった部位に、その形状に合うように曲がった形状を成す棒状部２又はその形状に合うように固定した布状部８を配置する。
【００２５】
そして使用者１６は、隙間２４を埋めるように布状部８を首後ろ部２０下に配置する。そのとき使用者１６は、布状部８に関して、環状部材１４で束ねた位置よりも先の部位を自身の後頭部に敷いたり、肩に掛けたりして使用することもできる。
【００２６】
使用者１６は、体の側部１８が棒状部２で固められている（側部１８と敷布団等使用者１６が寝ている面との間にできる隙間が埋められる）ため、無用の寝返り等、睡眠時の動きが規制される。
また使用者１６は、脇下から肩前部を上から補助枕１によって押さえられる状態であるため、安定・安心を感じつつ睡眠を取ることができる。
さらに使用者１６は、隙間２４が布状部８によって埋められるため、安定した寝心地を感じることができる。
【００２７】
使用者１６は、広げた布状部８を後頭部に敷くことによって枕２２の高さを調整したり、肩・首回りに掛けることによって保温効果を高めたりして、心地よい睡眠を取ることができる。
【００２８】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２９】
１    補助枕
２    棒状部
４    （棒状部の）下半身部から脇下まで体の側部に沿わせて配置する部位
６    （棒状部の）脇下から肩前部の盛り上がった形状に合わせ曲がった形状となる部位
８    布状部
１０  （布状部の）一端
１２  （布状部の）他端
１４  環状部材
１６  人（使用者）
１８  人の側部
２０  人の首後ろ部
２２  別の枕
２４  隙間
【要約】      （修正有）【課題】開示する補助枕は、枕と首との間に形成される隙間を埋めて適切な睡眠姿勢を取ることができ、当該姿勢を安定的に継続させることができる。【解決手段】補助枕１は、人１６が仰向けに寝たとき、人の側部１８に沿わせて配置して使用する補助枕であって、弾力性を備える材質で形成され、短手方向断面が略円形形状を成し、人の下半身部から脇下の側部１８に沿わせて配置する部位を含む棒状部２と、一端が棒状部端部と着脱自在に接続され、他端は補助枕の端部を成し、形状変更自在な態様の布材で形成され、伸縮自在な環状部材を用いて束ねる位置に応じ布材の形状を固定可能な布状部８とを有し、人の脇下から肩前部を介して、人の首後ろ部２０に通し、枕とは異なる別の枕２２と共に使用し、布状部が、別の枕と人の首後ろ部との間にできる隙間２４を埋めるような態様で使用される。【選択図】図１【図１】
0005872100.tif 000002
【図２】
0005872100.tif 000003
【図３】
0005872100.tif 000004
【図４】
0005872100.tif 000005
【図５】
0005872100.tif 000006